(57)【要約】【課題】スイッチ装置の共通化を図りながら、簡単な操作により、誤組み付けを防止することができる。【解決手段】スイッチ装置１０は、ガーニッシュ８０の挿入口８２に挿入可能な挿入部２１を有するスイッチ本体２０と、挿入部２１の上面よりも上側へ突出する突出部４６を有し、挿入部２１の挿入方向（前後方向Ｌ）に対して直交する所定方向（幅方向Ｗ）に沿って、挿入部２１に対して移動可能に設けられた移動部材４０とを備える。【選択図】図３
2017091615.tif 000002
【特許請求の範囲】
【請求項１】
挿入口に挿入可能な挿入部を有するスイッチ本体と、
前記挿入部の外側面よりも外側へ突出する突出部を有し、前記挿入部の挿入方向に対して交わる所定方向に沿って、同挿入部に対して移動可能に設けられた移動部材と、を備える、
スイッチ装置。
【請求項２】
前記挿入部の外側面には取付孔が形成されており、
前記取付孔には、端子を有する取付部材が取り付けられており、
前記取付部材には、その外側面に開口するとともに前記移動部材を前記所定方向に沿って移動可能に収容する収容部が設けられている、
請求項１に記載のスイッチ装置。
【請求項３】
前記挿入部には、その外側面に開口するとともに前記移動部材を前記所定方向に沿って移動可能に収容する収容部が設けられている、
請求項１に記載のスイッチ装置。
【請求項４】
前記収容部と前記移動部材とには、互いに係合することにより前記所定方向に沿った前記移動部材の移動を規制する規制部がそれぞれ設けられている、
請求項２または請求項３に記載のスイッチ装置。
【請求項５】
請求項１〜請求項４のいずれか一項に記載のスイッチ装置と、
前記スイッチ装置が挿入される挿入口を有する組付対象部材と、を備え、
前記挿入口の周縁には、前記突出部の挿入を許容する切欠部が設けられている、
スイッチ装置の組付構造。
【発明の詳細な説明】
【技術分野】
【０００１】
本発明は、誤組み付け防止のための突出部を備えるスイッチ装置及びスイッチ装置の組付構造に関する。
【背景技術】
【０００２】
例えば自動車のインストルメントパネルには、複数のスイッチ装置が並設されている（例えば特許文献１参照）。特許文献１においては、インストルメントパネルに固定されたガーニッシュに複数の挿入口が形成されており、これら挿入口に、同一の形状の操作ノブを有する複数のスイッチ装置がそれぞれ挿入されている。
【０００３】
ところで、複数のスイッチ装置の形状が互いに同一とされ、複数の挿入口の形状が互いに同一とされている場合には、作業者がスイッチ装置を誤って適正でない挿入口に挿入するおそれがある。
【０００４】
特許文献２には、こうしたスイッチ装置の誤組み付けを防止するための構造が開示されている。特許文献２に記載のスイッチ装置は、複数の溝が形成された直方体状の挿入部を有している。これら複数の溝の少なくとも１つには、挿入部の外側面から外側へ突出するリブが着脱可能に取り付けられている。また、挿入口の周縁には、適正なスイッチ装置のリブのみの挿入を許容する凹部が形成されている。こうしたスイッチ装置の組み付け構造によれば、スイッチ装置を誤って適正でない挿入口に挿入しようとすると、挿入口の周縁にリブが当たることで挿入口へのスイッチ装置の挿入が阻止される。
【先行技術文献】
【特許文献】
【０００５】
【特許文献１】特開２００７−１８６０８２号公報
【特許文献２】特開２００９−２９３７２３号公報
【発明の概要】
【発明が解決しようとする課題】
【０００６】
ところで、特許文献２に記載のスイッチ装置の場合、リブの取り付け態様を変更しようとすると、溝からリブを取り外したり、他の溝にリブを取り付けたりする必要がある。そのため、リブの取り付け態様の変更作業が煩雑となる。
【０００７】
本発明の目的は、スイッチ装置の共通化を図りながら、簡単な操作により、誤組み付けを防止することのできるスイッチ装置及びスイッチ装置の組付構造を提供することにある。
【課題を解決するための手段】
【０００８】
上記目的を達成するためのスイッチ装置は、挿入口に挿入可能な挿入部を有するスイッチ本体と、前記挿入部の外側面よりも外側へ突出する突出部を有し、前記挿入部の挿入方向に対して交わる所定方向に沿って、同挿入部に対して移動可能に設けられた移動部材と、を備える。
【０００９】
また、上記目的を達成するためのスイッチ装置の組付構造は、前記スイッチ装置と、前記スイッチ装置が挿入される挿入口を有する組付対象部材と、を備え、前記挿入口の周縁には、前記突出部の挿入を許容する切欠部が設けられている。
【００１０】
上記各構成によれば、上記所定方向において移動部材を移動させることにより、すなわち突出部の位置を変更することにより、突出部の挿入を許容する切欠部の形成位置が異なる挿入口に対してもスイッチ装置を挿入することが可能となる。このため、挿入口毎に突出部の形成位置や取り付け位置の異なる複数のスイッチ装置を用意しなくとも済む。
【発明の効果】
【００１１】
本発明によれば、スイッチ装置の共通化を図りながら、簡単な操作により、誤組み付けを防止することができる。
【図面の簡単な説明】
【００１２】
【図１】スイッチ装置の組付構造の第１実施形態について、同スイッチ装置の斜視図。
【図２】同実施形態におけるスイッチ装置の分解斜視図。
【図３】同実施形態の挿入口を有するガーニッシュと、移動部材の係合凸部が第１係合凹部に係合されている状態のスイッチ装置とを互いに離間して示す分解斜視図。
【図４】同実施形態の挿入口を有するガーニッシュと、移動部材の係合凸部が第２係合凹部に係合されている状態のスイッチ装置とを互いに離間して示す分解斜視図。
【図５】第２実施形態におけるスイッチ装置の分解斜視図。
【図６】同実施形態の挿入口を有するガーニッシュと、移動部材の係合凸部が第１係合凹部に係合されている状態のスイッチ装置とを互いに離間して示す分解斜視図。
【図７】（ａ）は変形例におけるスイッチ装置の部分断面図、（ｂ）はガーニッシュの挿入口を中心とした部分正面図。
【図８】（ａ）は変形例におけるスイッチ装置の部分断面図であって、突出部が破断された状態の図、（ｂ）はガーニッシュの挿入口を中心とした部分正面図。
【発明を実施するための形態】
【００１３】
＜第１実施形態＞
以下、図１〜図４を参照して、第１実施形態について説明する。
本実施形態のスイッチ装置１０は、後に詳述するように車両のインストルメントパネルの下方に設けられたガーニッシュに対して上下に複数並んで組み付けられるものである。なお、以降において、車両の前後方向を単に前後方向Ｌと称し、車両の幅方向を単に幅方向Ｗと称する。
【００１４】
図３及び図４に示すように、上下方向及び幅方向Ｗの双方に沿って延びるガーニッシュ８０には、正面視四角形状の挿入口８２，８４が形成されている。図３に示す挿入口８２の上側内周縁には、幅方向Ｗの中間位置よりも左寄りの位置に正面視四角形状の切欠部８２１が形成されている。また、図４に示す挿入口８４の上側内周縁には、幅方向Ｗの中間位置よりも右寄りの位置に正面視四角形状の切欠部８４１が形成されている。本実施形態の挿入口８２，８４はいずれも幅方向Ｗの長さが上下の長さよりも長い長方形状をなしている。
【００１５】
図１及び図２に示すように、スイッチ装置１０は、押釦型のスイッチであり、略直方体状の外形を有するとともに上記挿入口８２，８４に挿入可能な挿入部２１と、挿入部２１の後端に対して押し操作可能に連結された操作ノブ２９とを含むスイッチ本体２０を備えている。したがって、本実施形態では、挿入部２１の挿入方向が前後方向Ｌと一致している。
【００１６】
図２に示すように、挿入部２１の内部には、上側面に開口するとともに直方体状の内部空間をなす取付孔２２が形成されている。挿入部２１には、前側面の下部に開口するとともに上記取付孔２２に連通する連通孔２３が形成されている。取付孔２２の内側面には、挿入部２１の右側面に開口する係止孔２６が形成されている。また、挿入部２１の右側面及び左側面には、挿入口８２，８４の内周縁に係合される一対の爪部２８がそれぞれ形成されている。
【００１７】
取付孔２２には、略直方体状の外形を有する取付部材３０が取り付けられる。取付部材３０の後側面には凹部３７が形成されており、この凹部３７には固定接点３８が設けられている。また、取付部材３０の前側面には、複数の端子３９が幅方向Ｗに並んで突設されている。操作ノブ２９の押し操作を通じて操作ノブ２９に設けられた図示しない可動接点が固定接点３８に接することによりスイッチ装置１０が閉成される一方、可動接点が固定接点３８から離れることによりスイッチ装置１０が開成される。
【００１８】
取付部材３０の右側面には係止孔２６に係止される係止凸部３６が形成されている。
取付部材３０には、その上側面及び右側面に開口する収容部３１が設けられている。この収容部３１の下部には、収容部３１の上部よりも前後にそれぞれ拡大された拡大部３２が形成されている。収容部３１の上部開口周縁の幅方向Ｗに沿って延びる部分には、互いに対向する一対の第１係合凹部３４及び第２係合凹部３５が幅方向Ｗに互いに間隔をおいて形成されている。収容部３１は、上記係合凹部３４，３５を除いて幅方向Ｗにおいて同一の断面形状を有している。
【００１９】
上記収容部３１には、移動部材４０が収容される。移動部材４０は、収容部３１の拡大部３２に収容される延出部４２を有している。移動部材４０の幅方向Ｗの長さは収容部３１の幅方向Ｗの長さよりも小さくされている。移動部材４０は、収容部３１における取付部材３０の右側面の開口を通じて収容部３１内に収容可能とされるとともに、移動部材４０は収容部３１内を幅方向Ｗに沿って移動可能とされている。
【００２０】
移動部材４０の前側面及び後側面には、係合凹部３４，３５に係合可能な一対の係合凸部４４がそれぞれ形成されている。前側及び後側の係合凸部４４はそれぞれ前方及び後方に向けて先細に突出した平面視三角形状をなしている。したがって、収容部３１の一対の第１係合凹部３４または一対の第２係合凹部３５と、移動部材４０の一対の係合凸部４４とが係合することにより、幅方向Ｗに沿った移動部材４０の移動が規制される。本実施形態では、これら一対の係合凹部３４，３５及び一対の係合凸部４４がそれぞれ規制部を構成している。
【００２１】
移動部材４０の上側面には、挿入部２１の上側面よりも上側へ突出するとともに前後方向Ｌに沿って延びる直方体状の突出部４６が形成されている。突出部４６は前後方向Ｌにおいて同一の断面形状を有している。移動部材４０は、上記係合凸部４４及び突出部４６を除いて幅方向Ｗにおいて同一の断面形状を有している。
【００２２】
図１及び図２に示すように、スイッチ装置１０の組立てに際しては、まず、取付部材３０の収容部３１に移動部材４０が収容される。続いて、取付部材３０が、挿入部２１の取付孔２２の内部に嵌入される。このとき、取付部材３０の左右の外側面が取付孔２２の内側面にそれぞれ当接される。また、取付部材３０の係止凸部３６が挿入部２１の係止孔２６に係止される。また、複数の端子３９は連通孔２３を通じて挿入部２１の外部に露出する。
【００２３】
次に、本実施形態の作用について説明する。
例えばスイッチ装置１０の製造工程において、作業者が指などを使って、挿入部２１に対して突出部４６を幅方向Ｗに沿って移動させることにより、突出部４６の位置が当該スイッチ装置１０に対応した正規の位置に設定される。
【００２４】
図３に示すように、第１係合凹部３４に対して移動部材４０の係合凸部４４が係合されている状態においては、突出部４６が幅方向Ｗの左寄りに位置する。したがって、図３に示す挿入口８２にスイッチ装置１０を挿入する際には、突出部４６の挿入が切欠部８２１によって許容される一方、図４に示す挿入口８４にスイッチ装置１０を挿入する際には、突出部４６の挿入が挿入口８４の内周縁によって阻止される。
【００２５】
図４に示すように、第２係合凹部３５に対して移動部材４０の係合凸部４４が係合されている状態においては、突出部４６が幅方向Ｗの右寄りに位置する。したがって、挿入口８４にスイッチ装置１０を挿入する際には、図４に示す突出部４６の挿入が切欠部８４１によって許容される一方、図３に示す挿入口８２にスイッチ装置１０を挿入する際には、突出部４６の挿入が挿入口８２の内周縁によって阻止される。
【００２６】
以上説明した本実施形態に係るスイッチ装置及びスイッチ装置の組付構造によれば、以下に示す効果が得られるようになる。
（１）スイッチ装置１０は、挿入口８２（８４）に挿入可能な挿入部２１を有するスイッチ本体２０と、挿入部２１の上側面よりも上側へ突出する突出部４６を有し、挿入部２１の挿入方向（前後方向Ｌ）に対して直交する所定方向（幅方向Ｗ）に沿って、挿入部２１に対して移動可能に設けられた移動部材４０と、を備える。
【００２７】
こうした構成によれば、上記作用を奏することから、挿入口８２，８４毎に突出部の形成位置や取り付け位置の異なる複数のスイッチ装置を用意しなくとも済む。したがって、スイッチ装置１０の共通化を図りながら、簡単な操作により、誤組み付けを防止することができる。
【００２８】
（２）挿入部２１の外側面には取付孔２２が形成されている。取付孔２２には、端子３９を有する取付部材３０が取り付けられている。取付部材３０には、その外側面に開口するとともに移動部材４０を上記所定方向（幅方向Ｗ）に沿って移動可能に収容する収容部３１が設けられている。
【００２９】
こうした構成によれば、端子３９を有する取付部材３０の既存の形状を一部変更して収容部３１を形成することにより、移動部材４０を設けることができる。このため、挿入部２１については既存の形状を流用することができる。したがって、取付部材３０の簡単な設計変更により、移動部材４０を設けることができる。
【００３０】
（３）収容部３１の開口周縁と移動部材４０とには、互いに係合することにより移動部材４０の所定方向（幅方向Ｗ）に沿った移動を規制する係合凹部３４，３５及び係合凸部４４が設けられている。
【００３１】
こうした構成によれば、意図しない外力が作用して移動部材４０が移動することを互いに係合されている係合凹部３４，３５及び係合凸部４４によって規制することができる。このため、スイッチ装置１０の運搬中などに、移動部材４０の位置が適正な位置からずれることを抑制することができる。
【００３２】
（４）スイッチ装置１０の組付構造は、スイッチ装置１０と、スイッチ装置１０が挿入される挿入口８２（８４）を有するガーニッシュ８０と、を備える。挿入口８２（８４）の周縁には、突出部４６の挿入を許容する切欠部８２１（８４１）が設けられている。
【００３３】
こうした構成によれば、上記効果（１）に準じた効果を奏することができる。
＜第２実施形態＞
以下、図５及び図６を参照して、第２実施形態について第１実施形態との相違点を中心に説明する。
【００３４】
本実施形態では、移動部材４０を所定方向（幅方向Ｗ）に沿って移動可能に収容する収容部１２２が挿入部１２１に形成されている点が先の第１実施形態と相違している。なお、第１実施形態と同一の構成については同一の符号を付すことにより重複する説明を省略する。
【００３５】
図５及び図６に示すように、収容部１２２及び移動部材４０の形状及び大きさは第１実施形態と同一である。
挿入部１２１には、その上側面及び右側面に開口する収容部１２２が設けられている。この収容部１２２の下部には、収容部１２２の上部よりも前後にそれぞれ拡大された拡大部１２３が形成されている。収容部１２２の上部開口周縁の幅方向Ｗに沿って延びる部分には、互いに対向する一対の第１係合凹部１２４及び第２係合凹部１２５が幅方向Ｗに互いに間隔をおいて形成されている。収容部１２２は、上記係合凹部１２４，１２５を除いて幅方向Ｗにおいて同一の断面形状を有している。
【００３６】
なお、スイッチ装置１１０の固定接点（図示略）はスイッチ本体１２０の内部に設けられている。また、スイッチ装置１１０の複数の端子１２７は、挿入部１２１の前側面に突設されている。
【００３７】
以上説明した本実施形態に係るスイッチ装置及びスイッチ装置の組付構造によれば、第１実施形態の効果（１）、（４）に加えて、新たに以下に示す効果が得られるようになる。
【００３８】
（５）挿入部１２１には、その上側面に開口するとともに移動部材４０を上記所定方向（幅方向Ｗ）に沿って移動可能に収容する収容部１２２が設けられている。
こうした構成によれば、挿入部１２１に収容部１２２を形成することにより、スイッチ本体１２０に対して移動部材４０が直接取り付けられる。このため、スイッチ装置１１０の構成を簡単なものとすることができる。
【００３９】
（６）収容部１２２の開口周縁と移動部材４０とには、互いに係合することにより移動部材４０の所定方向（幅方向Ｗ）に沿った移動を規制する係合凹部１２４，１２５及び係合凸部４４がそれぞれ設けられている。
【００４０】
こうした構成によれば、意図しない外力が作用して移動部材４０が移動することを互いに係合されている係合凹部１２４，１２５及び係合凸部４４によって規制することができる。このため、スイッチ装置１０の運搬中などに、移動部材４０の位置が適正な位置からずれることを抑制することができる。
【００４１】
＜変形例＞
なお、上記実施形態は、例えば以下のように変更することもできる。
・第１実施形態において、幅方向Ｗにおいて３つ以上の係合凹部を設けることもできる。また、第２実施形態においても同様の変更をすることができる。
【００４２】
・第１実施形態において、収容部３１の開口周縁に、係合凹部に代えて係合凸部を形成するとともに、移動部材４０に、係合凸部に代えて係合凹部を形成することもできる。また、第２実施形態においても同様の変更をすることができる。
【００４３】
・上記の係合凹部や係合凸部を省略することもできる。この場合、例えば第１実施形態において、収容部３１の開口周縁と移動部材４０とを互いに摺接可能に設けるとともにこれら収容部３１と移動部材４０との摺動抵抗によって移動部材４０の所定方向（幅方向Ｗ）に沿った移動を規制するようにしてもよい。
【００４４】
・例えば第２実施形態において例示した移動部材４０に加えて、あるいは代えて、挿入部１２１の下側面よりも下側に突出する突出部を有する移動部材を設けることもできる。このように１つのスイッチ装置に複数の移動部材を設けるようにすれば、１つの移動部材の取り得る位置のパターン数と、他の移動部材の取り得る位置のパターン数との組み合わせの数を増やすことができる。
【００４５】
・挿入口８２，８４を上下の長さが幅方向Ｗの長さよりも長い長方形状に変更することもできる。この場合、挿入口の上下に延びる内周縁に切欠部を形成すればよい。あるいは、挿入口の上側内周縁や下側内周縁に切欠部を形成してもよい。そして、切欠部の位置に応じてスイッチ装置の突出部の突出位置を適宜変更すればよい。
【００４６】
・図７（ｂ）及び図８（ｂ）に示すように、深さの互いに異なる切欠部８６１，８８１をそれぞれ有する挿入口８６，８８をガーニッシュ８０に設けることもできる。この場合、図７（ａ）及び図７（ｂ）に示すように、移動部材２４０の突出部２４６の突出高さを、深さの深い方の切欠部８６１の深さに対応して突出方向において長尺状に設定すればよい。また、突出部２４６に、突出部２４６を突出方向の途中の位置で破断することを補助するためのＶ溝２４７を形成すればよい。こうした構成によれば、図７（ａ）及び図８（ａ）に示すように、作業者は、突出部２４６の上部を指などで摘んでＶ溝２４７にて破断することができ、突出部２４６の突出高さを変更することができる。したがって、深さの浅い方の切欠部８８１を有する挿入口８８にもスイッチ装置２１０を挿入して組み付けることができる。
【００４７】
・スイッチ装置１０は、インストルメントパネルの下方に設けられたガーニッシュ８０に対して組み付けられるものに限定されず、例えばコンソールボックスなどの他の組付対象部品に対して組み付けられるものであってもよい。
【符号の説明】
【００４８】
１０，１１０，２１０…スイッチ装置、２０，１２０…スイッチ本体、２１，１２１，２２１…挿入部、２２…取付孔、２３…連通孔、２６…係止孔、２８，１２８…爪部、２９，１２９…操作ノブ、３０…取付部材、３１…収容部、３２…拡大部、３４…第１係合凹部、３５…第２係合凹部、３６…凸部、３７…凹部、３８…固定接点、３９…端子、４０，２４０…移動部材、４２…延出部、４４…係合凸部、４６，２４６…突出部、２４７…Ｖ溝、８０…ガーニッシュ（組付対象部材）、８２，８４，８６，８８…挿入口、８２１，８４１，８６１，８８１…切欠部、１２２…収容部、１２３…拡大部、１２４…第１係合凹部、１２５…第２係合凹部、１２７…端子。
【図１】
2017091615.tif 000003
【図２】
2017091615.tif 000004
【図３】
2017091615.tif 000005
【図４】
2017091615.tif 000006
【図５】
2017091615.tif 000007
【図６】
2017091615.tif 000008
【図７】
2017091615.tif 000009
【図８】
2017091615.tif 000010